(57)【特許請求の範囲】
【請求項１】
高分子水分吸収ポリマなどにてなる吸収材層の外側を防水シート、内側を滲透性シートにて包み、該滲透性シート上に肌ざわりの良好な不滲透の柔軟材面を当て付け、該柔軟材面に大小便が前後して入る大きさの縦長孔を設け、該縦長孔の前後部間の中間に該縦長孔の後部に入る大便の前部への前進移動をせき止するブリッジギャザを横断形成するとともに、該縦長孔の孔縁に小便等の滲み出しを防止するギャザを周設したパッドにおいて、該縦長孔の後端に中心角を挟んで臀部のふくらみに接面する張出し形の曲縁を形成し、該張出し形の曲縁を接面する臀部を乾燥状態に保つように滲透性シートを含む吸収材層にて形成したことを特徴とする使い捨てパッド。
【発明の詳細な説明】
【技術分野】
【０００１】
本発明は使い捨てパッドに関するもので、縦長孔の後部に排泄される大便の前進移動を防止するせき止めブリッジを中間に設けて女性においては大便の附着による尿路感染を防止し、男性においては陰嚢の裏面などに大便の附着することを防止して不快を感じずに小便を吸収材層の全域が一杯になるまで吸収溜めすることができるようにして長時間着用使用を可能とし、また着用時に乾燥状態を継続することで褥瘡，かぶれ等の発症も確実に防止するパッドに関するものである。
【背景技術】
【０００２】
本願の出願人は先に特開２００７−１２５１５７号公報を提案している。該公報は、生理と尿を内部の吸収材層に浸透させて漏れ出すことのない、従って周囲を匂わせず、かぶれ，褥瘡も生じない、子供用も含む昼夜兼用の使い捨てパンツ，生理用ナプキン，使い捨ておむつおよび尿取りパッドであって、前記の吸収材層を挟んで不滲透性シートにて完全防水形に内外両面を包み、且つ内側に肌ざわりの良い柔軟材面を重ね付けして尿などを該吸収材層内に流入させる前後に跨る長孔を設けたことを特徴とする生理用，尿取り用の使い捨てパンツ，おむつ，ナプキンおよびパッドを記載している。
【特許文献１】特開２００７−１２５１５７号公報
【発明の開示】
【発明が解決しようとする課題】
【０００３】
しかしながら、該公報は長孔の後部に排泄される大便の前進移動を防止する手段がないために、排泄される大便が長孔の前部に前進移動して女性の尿路に触れて尿路感染を生じさせ、また男性の陰嚢の裏に附着するなどして不快となるために長時間の着用に耐えないという課題があった。
【０００４】
また長孔の後端部と着用者のふくらんだ臀部との間に弛みが生じて排泄尿が臀部に滲み出し、さらには汗が溜るなどの課題があった。従ってパッドは短時間の着用に限られているという課題があった。
【課題を解決するための手段】
【０００５】
本発明はパッドの縦長孔の中間にせき止め用のブリッジギャザを横断形成して、縦長孔の後部に排泄される大便をせき止めして前進移動を防止することで大便の附着による尿路感染を防止し、陰嚢の裏への附着も生じないようにして、清潔を保つようにし、また縦長孔の後端縁を着用者のふくらんだ臀部に沿って密着するように中心角を挟んで張出し形の曲縁にして且つ該曲縁の後側に滲透性質部を設けて小便の排泄を反複しても臀部への漏れ出しがなく、汗等をパッド内に滲透させるようにして乾いた状態で気持ちよく長時間着用することができるようにして、かかる課題を解決したのである。
【発明の効果】
【０００６】
本発明の使い捨てパッドは排泄される大便の前進移動を阻止するので大便の尿路附着による感染症の発症を防止し、また陰嚢の裏に附着することも防止されることで不快となることがなく、さらに小便は大便下を含む吸収材層の全域に滲透させることができて、繰返し排泄によっても長時間着用使用を可能にするという効果を生ずる。
【０００７】
また、本発明の使い捨てパッドは縦長孔の後端に中心角を挟んで臀部に接面する張出し形の曲縁を形成し、この張出し形の曲縁を接面する臀部を乾燥状態を保つように滲透性シートを含む吸収材層にて構成したことで、長時間着用しても臀部のぬれによる不快を防止することができるという効果を生ずる。
【発明を実施するための最良の形態】
【０００８】
本発明はおむつカバー，使い捨ておむつ・パンツ内に敷入れて主に病気，手術後などで寝たきり状態の男性，女性が着用するパッドとして使用することができ、着用するパッドは排泄した大便が前移動しないようにして、女性においては尿路に大便が触れることで生じていた尿路感染等を防止し、男性においては陰嚢の裏などに大便が付着しないようにする。かくて本発明のパッドは従来の２倍以上において長持ち着用を可能とする。
【０００９】
また本発明のパッドは着用者の仙骨を挟む臀部のふくらみ曲面に沿って緊密に接して漏れ出しがないようにするためにパッドの縦長孔の後部縁は中心角を挟んで張出し形の曲縁にして且つ該曲縁の後側に滲透性質部を形成する。
【実施例１】
【００１０】
図１乃至図３は本発明の第１実施例であって、高分子水分吸収ポリマなどにてなる縦長四角形の吸収材層１の四周を含む外側を防水シート２にて囲み、内側に滲透性シート３を当て、滲透性シート３の上に肌ざわりのよい不滲透性の柔軟材面４を被せて一体のパッド５とする。柔軟材面４には大便ａと小便ｂが前後して入る縦長孔６を設け、縦長孔縁にギャザ７ａを縁立て周設する
【００１１】
さらに縦長孔６の中間には縦長孔６の後部に排泄した大便ａが前進移動しないようにせき止めするブリッジギャザ７ｂを横断形成する。
これらのギャザ７ａ，７ｂの下端は滲透性シート３に接着している。
【００１２】
このようにして形成したパッド５はおむつカバー，使い捨ておむつ・パンツ（いずれも図示してない）内に敷入れて着用するのである。
【００１３】
図２に示すように大便ａはブリッジギャザ７ｂにてせき止められて前進移動しないから女性の尿路，男性の陰嚢に大便ａが触れることはなく、従って尿路感染が予防され、陰嚢の不快感もなく清潔に着用し続けることができることとなる。
【００１４】
しかも、滲透性シート３上はブリッジギャザ７ｂにより遮断されているが、吸収材層１は前後が一体に連通しているので、通常回数の多い小便ｂは大便ａ下の吸収材層１内にまで入っていくことで一杯になるまで安定して吸収されて長時間着用することができることとなる。また、例え大便ａの排泄がなくてもパッド５は吸収材層１が満杯になるまで小便を溜めてから交換することができるので経済的である。
【００１５】
図３は大便の溜め量を増加するために縦長孔６の後部下の吸収材層１，防水シート２および滲透性シート３にたるみｔを形成するようにしたものである。また図４に示すように縦長孔６の後部の四隅等のギャザ７ａ，７ｂを延長し滲透性シート３と柔軟材面４間に点線丸囲みにて示すようにポケットpを形成して、さらに溜め量を増加して大便の漏れ出しを防止するようにすることもある。
【実施例２】
【００１６】
図５は本発明の第２実施例であって、パッド５の縦長孔６の後端はギャザ７ａにかえて中心角８を挟んで臀部のふくらみに密着するように張出し形の曲縁９ａ，９ｂとし、且つ曲縁９ａ，９ｂの後側を滲透性シート側３から防水シート１０、極く薄い吸収材層１１、滲透性シート１２からなる３層構造の滲透性質部３ａにしている。該滲透性質部３ａは図５によれば平面視木の葉形である
【００１７】
以上により、着用者がパッド５を長時間着用し続けることにより臀部に湿りが生じても、また汗等が流れても、滲透性シート３より吸収材層１内に吸収され、一部は吸収材層１１に吸収して仙骨をはじめ臀部を乾燥状態に保って褥瘡，かぶれなどの発症を予防することができることとなる。
【００１８】
なお、図６に示すように前例同様に縦長孔６下の後部にたるみｔを設け、ポケットＰを設けることもある。その他の構成と作用は第１実施例と同じである。
【産業上の利用可能性】
【００１９】
本発明は排泄物による尿路感染と褥瘡等の発症がなく、排泄する小便を繰返し吸収して長時間着用することのできる使い捨てパッドとして広く汎用されることとなる。
【図面の簡単な説明】
【００２０】
【図１】第１実施例を示すもので、（ａ）は平面図、（ｂ）は（ａ）のＡ−Ａ線の拡大断面図
【図２】同、小便の吸収と大便のせき止めの作用を示す拡大断面図
【図３】縦長孔の後部下にたるみを設けた例を示す部分断面図
【図４】同、四隅にポケットを形成した例を示す平面図
【図５】第２実施例を一部破断して示す平面図
【図６】同、ポケットを形成した他の形状例を示す平面図
【符号の説明】
【００２１】
１は吸収材層
２は防水シート
３は滲透性シート
３ａは滲透性質部
４は柔軟材面
５は使い捨てパッド
６は縦長孔
７ａは縦長孔縁のギャザ
７ｂはブリッジギャザ
８は中心角
９ａ，９ｂは張出し形の曲縁
１０は防水シート
１１は吸収材層
１２は滲透性シート
ａは大便
ｂは小便
ｔはたるみ
ｐはポケット
【図１】
0006370623.tif 000002
【図２】
0006370623.tif 000003
【図３】
0006370623.tif 000004
【図４】
0006370623.tif 000005
【図５】
0006370623.tif 000006
【図６】
0006370623.tif 000007